(57)【要約】【課題】  導線への大幅な負荷軽減と、作業性の更なる向上を図る。【課題手段】  一対の導線１３，１３が、絶縁外皮１６から補強芯１４と共にそれぞれ左右に分岐して口出しされる。分岐部にインサートモールド成型により導線１３及び補強芯１４の口出し位置を固定する円筒状の端末固定部２１が形成される。端末固定部２１から口出しされた補強芯１４は、互いに締結される。これにより、電線コード１０の端部を引っ張る方向の荷重は、その殆どを補強芯１４で受ける。端末固定部２１には、電線コード１０と同軸の溝２２が形成され、この溝２２に係止片を装着して荷重を受ける。【選択図】  図１
2005346960.tif 000002
【特許請求の範囲】
【請求項１】
それぞれが絶縁体で被覆された複数の導線が補強芯と共に樹脂の絶縁外皮により被覆されてなる電線コードにおいて、
端末部で前記絶縁外皮から複数の導線が前記補強芯と共にそれぞれ分岐して口出しされると共に、分岐部にインサートモールド成型により前記導線及び補強芯の口出し位置を固定する端末固定部が形成され、
前記端末固定部から口出しされた前記補強芯同士が締結されてなる
ことを特徴とする電線コード。
【請求項２】
それぞれが絶縁体で被覆された複数の導線が補強芯と共に樹脂の絶縁外皮により被覆されてなる電線コードにおいて、
端末部で前記絶縁外皮から複数の導線が前記補強芯と共に分岐して口出しされると共に、前記口出しされた前記補強芯同士が締結され、
前記補強芯同士の締結部を内部に含むように前記複数の導線の分岐部にインサートモールド成型により前記導線の口出し位置を固定する端末固定部が形成されてなる
ことを特徴とする電線コード。
【請求項３】
前記端末固定部は、前記電線コードと同軸の溝又は前記電線コードと直交する上端面を有することを特徴とする請求項１又は２記載の電線コード。
【請求項４】
請求項３に記載の電線コードと、
この電線コードの複数の導線が接続されたソケットと、
前記端末固定部に形成された溝又は上端面に装着された係止板と、
中央部に電線挿入孔が形成され、この電線挿入孔の下側周縁に前記係止板が当接して前記係止板によって支持され、自身は前記ソケットを支持すると共に照明カバーを支持する支持部材と
を備えたことを特徴とする吊り下げ式照明装置。
【発明の詳細な説明】
【技術分野】
【０００１】
本発明は、吊り下げ式照明装置に使用される電線コードに関し、特に補強芯を用いた張力止め構造を実現する電線コード及びそれを用いた吊り下げ式照明装置に関する。
【背景技術】
【０００２】
吊り下げ式の照明装置に使用される電線コードとして、従来、図６に示すものが知られている。電線コード５０は、導体芯線５１の周囲を絶縁体５２で被覆してなる複数の導線５３が、補強芯５４と共に、布製、樹脂製等の絶縁外皮５５により被覆されてなる。図示しない吊り下げ用引っ掛けローゼットから延びる電線コード５０の端末部に張力止めのための端末処理を行うときには、その端末部が照明装置のソケット取り付け金具６１の電線挿入孔を貫通した状態で導線５３及び補強芯５４を口出しし、口出し部に一部を切り欠いた環状のファイバー６２を嵌めて、補強芯５４をファイバー６２側へ折り返して縛り付ける。このように形成された拡径部でソケット取り付け金具６１を支持し、ソケットに接続される導線５３には直接荷重が加わらないようにしている。
【０００３】
しかし、このような張力止めの方法は作業性が悪く、端末処理に時間がかかるという問題がある。そこで、上下左右に保持部を形成したコード端末保持具を使用して、電線コードを上部で保持し、導線を左右の保持部で保持し、補強芯を下部で保持することにより、コードにかかる器具重量を補強芯にて分散させて器具を保持するようにした吊り下げ式照明装置（特許文献１）や、補強芯に圧着端子をかしめると共に、圧着端子を照明器具の本体にねじ止めした吊り下げ式照明装置（特許文献２）等が提案されている。
【特許文献１】実開昭５７−１３９２２５号  第７図、第８図
【特許文献２】実開昭５６−１５３０６９号  第１図、第２図
【発明の開示】
【発明が解決しようとする課題】
【０００４】
しかしながら、特許文献１に開示された照明装置では、特殊な端末保持具を利用するために端末処理部が大型化するうえ、導線に加わる荷重を大幅に軽減することはできない。また、特許文献２に開示された照明装置では、圧着端子のかしめや本体へのねじ止めが必要であり、作業性を大幅に改善することはできない。
【０００５】
本発明は、このような点に鑑みなされたもので、導線への大幅な負荷軽減と、作業性の更なる向上を図ることができる電線コード及びこれを用いた吊り下げ式照明装置を提供することを目的とする。
【課題を解決するための手段】
【０００６】
本発明に係る第１の電線コードは、それぞれが絶縁体で被覆された複数の導線が補強芯と共に樹脂の絶縁外皮により被覆されてなる電線コードにおいて、端末部で前記絶縁外皮から複数の導線が前記補強芯と共にそれぞれ分岐して口出しされると共に、分岐部にインサートモールド成型により前記導線及び補強芯の口出し位置を固定する端末固定部が形成され、前記端末固定部から口出しされた前記補強芯同士が締結されてなることを特徴とする。
【０００７】
本発明に係る第２の電線コードは、それぞれが絶縁体で被覆された複数の導線が補強芯と共に樹脂の絶縁外皮により被覆されてなる電線コードにおいて、端末部で前記絶縁外皮から複数の導線が前記補強芯と共に分岐して口出しされると共に、前記口出しされた前記補強芯同士が締結され、前記補強芯同士の締結部を内部に含むように前記複数の導線の分岐部にインサートモールド成型により前記導線の口出し位置を固定する端末固定部が形成されてなることを特徴とする。
【０００８】
なお、前記端末固定部には、前記電線コードと同軸の溝又は前記電線コードと直交する上端面を有することが望ましい。
【０００９】
本発明に係る吊り下げ式照明装置は、そのような電線コードを使用し、この電線コードの複数の導線が接続されたソケットと、前記端末固定部に形成された溝又は上端面に装着された係止板と、中央部に電線挿入孔が形成され、この電線挿入孔の下側周縁に前記係止板が当接して前記係止板によって支持され、自身は前記ソケットを支持すると共に照明カバーを支持する支持部材とを備えたことを特徴とする。
【発明の効果】
【００１０】
本発明によれば、端末部で絶縁外皮から複数の導線が補強芯と共にそれぞれ分岐して口出しされると共に、分岐部にインサートモールド成型により導線及び補強芯の口出し位置を固定する端末固定部が形成され、端末固定部から口出しされた補強芯同士が締結されてなるか、又は口出しされた補強芯同士が締結され、その締結部を内部に含むように複数の導線の分岐部にインサートモールド成型により導線の口出し位置を固定する端末固定部が形成されるようにしている。このような構成であると、端末固定部に電線コードが延びる方向に負荷がかかった場合、その負荷は、補強芯に加わり、内部の導線に加わることがない。
【００１１】
また、本発明によれば、端末固定部をインサートモールド成型により形成したものであるため、小型化が可能であり、端末固定部を予め形成しておくことにより、端末処理の作業が極めて簡略化される。
【００１２】
すなわち、本発明に係る吊り下げ式照明装置によれば、上述のような端末処理がなされた端末固定部を、支持部材の電線挿入孔に挿入し、端末固定部に形成された溝又は上端面に係止板を装着すれば、支持部材は、電源挿入孔の下側周縁位置で係止板に保持される。支持部材を支持する荷重は、端末固定部を介して補強芯に加わり、電線には直接加わらない。このように、本発明によれば、端末処理作業が極めて容易であり、しかも内部の導線を確実に保護することができる。
【発明を実施するための最良の形態】
【００１３】
以下、添付の図面を参照して、この発明の実施形態を説明する。
【００１４】
図１は本発明の一実施形態に係る電線コードの端末部を示す正面図、図２は同電線コードの断面図である。
【００１５】
電線コード１０は、図２に示すように、電気用軟銅線等からなる導体芯線１１の周囲を塩化ビニル混合物（耐熱性ＰＶＣ等）の絶縁体１２で被覆してなる一対の導線１３，１３が、例えばケプラー糸、木綿等からなる補強芯１４及びエステル糸からなる介在芯１８と共に、絶縁テープ１５により巻回され、更にその外周を塩化ビニル混合物（耐熱性ＰＶＣ等）の絶縁外皮１６により被覆されてなるものである。
【００１６】
本実施形態の電線コード１０は、図１に示すように、端末部で、絶縁外皮１６から一対の導線１３，１３が、補強芯１４と共にそれぞれ左右に分岐して口出しされ、更に分岐部にインサートモールド成型により導線１３及び補強芯１４の口出し位置を固定する円筒状の端末固定部２１を形成してなる。端末固定部２１は、絶縁外皮１６との結合性が良好なＰＰ（ポリプロピレン）等により形成される。図示の例では、端末固定部２１の先端が斜めにカットされた形状であるが、形状については任意である。端末固定部２１から口出しされた補強芯１４は、互いに締結され、その結び目が下端位置に位置している。これにより、電線コード１０の端部を引っ張る方向の荷重は、その殆どを補強芯１４で受けることになる。端末固定部２１には、電線コード１０と同軸の溝２２が形成されている。
【００１７】
図３は本発明の他の実施形態に係る電線コードの端末部を示す正面図である。
【００１８】
先の実施形態では、補強芯１４を端末固定部２１の外側に出し、補強芯１４を端末固定部２１の外側で結んだが、この実施形態の電線コード２０では、補強芯１４を端末固定部２３の外側には出さずに、まず、絶縁外皮１６から口出しされた導線１３と、補強芯１４のうち、補強芯１４のみを締結し、その結び目ごと端末固定部２３の内部に封止している。この実施形態によれば、補強芯１４の結び目が端末固定部２３の内部に隠れる分だけ美観は向上する。しかし、強度的には図１に示した形態の方が大きな荷重に耐えられる。
【００１９】
次に、この電線コード２０を使用した吊り下げ式照明装置について説明する。
【００２０】
図４は同照明装置の要部を示す斜視図、図５は同じく断面図である。
【００２１】
この照明装置には、上述した電線コード２０が使用されている。この電線コード２０の端末部から口出しされた一対の導線１３，１３は、円筒状のソケット３１の上端の挿入口３２に挿入されて電気的に接続されている。ソケット３１にはランプ３３が装着される。電線コード２０の端末固定部２３に形成された溝２２には、これに適合するスリット３４が形成された係止板３５が装着されている。また、電線コード２０には、台形円筒状の支持部材３６が電線貫通孔３７を貫通して装着され、その電線貫通孔３７の下側周縁部が係止板３５に支持されている。支持部材３６には、内側に爪３８が張り出した下方に延びる一対の係合片３９が突設され、これら係合片３９が、ソケット３１に形成された凹部４０と係合し、支持部材３６が係合片３９を介してソケット３１を支持するものとなっている。支持部材３６は、また、その上部周縁部４１で照明カバー４２を支持する。
【００２２】
このような構成によれば、ソケット３１及びランプ３３の荷重は、係合片３９を介して支持部材３６に加わり、支持部材３６の荷重は、係止板３５を介して端末固定部２３に加わる。そして、端末固定部２３は、補強芯１４によって支持されているので、導線１３には、荷重が加わることはない。
【００２３】
なお、係止板３５は、この例では、端末固定部２３の溝２２に装着されるが、溝２２が無くても端末固定部２３の上端部で係止板３５を受けるようにしても良い。また、上記のように、係止板３５を使用すると、電線コード２０の端末部をコンパクトにして、支持部材３６の電線挿入孔３７に挿入する際の作業負担を軽減することができるが、端末固定部自体が直接支持部材を支持する構成としても良い。
【００２４】
次に、このように構成された照明装置の組立手順について説明する。
【００２５】
まず、電線コード２０の端末部を、支持部材３６の中心の電線挿入孔３７に上から挿入し、下側に引き出して導線１３の先端の導体芯線１１をソケット３１の挿入口３２に挿入する。続いて、端末固定部２３に形成された溝２２に、係止板３５を装着する。最後に、支持部材３６を下方に移動させ、一対の係合片３９をソケット３１に形成された凹部４０に係合させることにより、電線コード２０の端末処理は完了する。
【００２６】
このように、本実施形態の吊り下げ式照明装置によれば、張力止めを行うための電線コードの端末処理が極めて簡単であり、しかも確実に導線に加わる荷重を軽減することができる。
【図面の簡単な説明】
【００２７】
【図１】本発明の一実施形態に係る電線コードの端末部を示す正面図である。
【図２】同電線コードの断面図である。
【図３】本発明の他の実施形態に係る電線コードの端末部を示す正面図である。
【図４】同電線コードを使用した本発明の一実施形態に係る吊り下げ式照明装置の要部を示す斜視図である。
【図５】同照明装置の断面図である。
【図６】従来の電線コードの端末部を示す斜視図である。
【符号の説明】
【００２８】
１０，２０，５０…電線コード、１１，５１…導体芯線、１２，５２…絶縁体、１３，５３…導線、１４，５４…補強芯、１５…絶縁テープ、１６，５５…絶縁外皮、１８…介在糸、２１，２３…端部固定部、２２…溝、３１…ソケット、３５…係止板、３６…支持部材、３９…係合片。
【図１】
2005346960.tif 000003
【図２】
2005346960.tif 000004
【図３】
2005346960.tif 000005
【図４】
2005346960.tif 000006
【図５】
2005346960.tif 000007
【図６】
2005346960.tif 000008